(57)【要約】【課題】    温度表示機能を備えた非電熱式食器皿を提供すること。【解決手段】    非電熱式食器皿本体の内部に物品を収容可能な構造であって、物を入れる非電熱式の食器皿本体１０と、内容物又は食器皿本体１０の温度を検出する温度検出装置１１、及び温度検出装置１１によって伝導された食器皿本体１０の内容物又は食器皿本体の温度を表示する温度表示機能を有する表示装置１２とにより構成する。利用者は食器皿本体１０又は食器皿本体１０の内容物の温度を簡単にチェックできる。【選択図】  図１
0003111479.tif 000002
【実用新案登録請求の範囲】
【請求項１】
非電熱式食器皿本体の内部に物品を収容可能な構造であって、
物を入れる非電熱式の食器皿本体と、
内容物又は食器皿本体の温度を検出する温度検出装置、及び
温度検出装置によって伝導された食器皿本体の内容物又は食器皿本体の温度を表示する温度表示機能を有する表示装置とにより構成することを特徴とする、
非電熱式食器皿。
【請求項２】
前記食器皿本体はコップ形状、碗形状、瓶形状、つぼ形状又は盆形状を特徴とする、請求項１記載の温度表示機能を備えた非電熱式食器皿。
【請求項３】
前記温度検出装置は化学方式の温度検出装置、機械方式の温度検出装置、物理方式の温度検出装置又は電子方式の温度検出装置いずれか一種であることを特徴とする、請求項１記載の温度表示機能を備えた非電熱式食器皿。
【請求項４】
前記温度検出装置は食器皿内部に取り付けて食器皿内容物の温度を検出するか、又は食器皿本体の外側に取り付けて食器皿本体の温度を検出することを特徴とする、請求項１記載の温度表示機能を備えた非電熱式食器皿。
【請求項５】
前記温度検出装置は試験紙の色により温度表示が識別可能な化学方式の温度試験紙を用いるか、またはマーク方式により温度を表示する水銀温度計を用いた物理方式の温度検出装置であることを特徴とする、請求項４記載の温度表示機能を備えた非電熱式食器皿。
【請求項６】
電源装置を追加して含むことを特徴とする、請求項１記載の温度表示機能を備えた非電熱式食器皿。
【請求項７】
前記表示装置は数字型の表示装置、色表示装置、光表示装置、音声、指数表示装置いずれの一つ、又はこれら装置を組合せたものであることを特徴とする、請求項１記載の温度表示機能を備えた非電熱式食器皿。
【請求項８】
前記の色調又は光色により温度表示をする手段は、その方式は下記いずれか一種であり、色調の違いによりそれぞれの温度に反映させるか、寒色シリーズで低温を表示すると共に暖色シリーズで高温を表示する等のように単色の階調により温度を反映させるか、光の強さで光色を反映するかのいずれか一種、若しくはこれら複数の組合であることを特徴とする、請求項７記載の温度表示機能を備えた非電熱式食器皿。
【請求項９】
前記の音声方式により温度表示をする手段は、一つのボタンを押すことによって、音声集積回路温度値が発声されることを特徴とする、請求項７記載の温度表示機能を備えた非電熱式食器皿構造。
【請求項１０】
前記食器皿本体は、温度表示装置を取り付けた蓋を具備することを特徴とする、請求項１記載の温度表示機能を備えた非電熱式食器皿。
【請求項１１】
前記表示装置は警告機能を有し、温度が設定範囲から外れたときに警告信号の強い光又は音声を発信して温度異常を知らせることを特徴とする、請求項１記載の温度表示機能を備えた非電熱式食器皿。
【考案の詳細な説明】
【技術分野】
【０００１】
本考案は温度表示機能を備えた非電熱式食器皿の構造に関わるもので、食器皿本体又は食器皿本体内容物の温度を簡単にチェックできて、適切な行動を取るか又は内容物の温度を適宜に調節できる非電熱式食器皿に関するものである。
【背景技術】
【０００２】
日常の使用において、容器の内容物の温度を知らなければならない。あるケースで顧客が飲料カップの高温の飲料を飲んだため口腔器官をけがし、訴訟沙汰になって、終にその飲料業者が多額の弁償に強いられた。このため、いまには飲料カップに飲料温度に注意する警告標識を付けて、怪我の回避を呼びかけている。しかしながら、飲用者はなお飲料の正確温度が分からないため、まずは口に付けて確かめなければならない。そのため、誤って高温の飲料を飲む危険性がなお存在する。
【０００３】
赤ん坊に食事を与えるとき、瓶の内容物の温度が分からないと、熱過ぎたり冷た過ぎたりするため、計り知れないけがを引き起こす。
【０００４】
さらに、場合によって顧客又は飲料の販売業者は飲料の温度を知る必要がある。公知の食器皿本体にはこのような機能がなく、飲料調合者の経験に頼るしかない。しかし、経験とは到底頼もしい方法ではない。温度計で計ることは可能だが、実生活において温度計を持ち歩く人は余り見かけない。そして、食器皿本体に温度表示機能があれば、良策と言える。
【考案の開示】
【考案が解決しようとする課題】
【０００５】
日常生活において、食器皿内容物の温度を知る必要あるが、昔から食器皿に温度指示機能がなかったことは実に残念である。
本考案の主な目的は、前記の問題点を解決するために温度表示機能を備えた非電熱式食器皿を提供することにある。
【課題を解決するための手段】
【０００６】
本願の第１考案に係る非電熱式食器皿は、非電熱式食器皿本体の内部に物品を収容可能な構造であって、物を入れる非電熱式の食器皿本体と、内容物又は食器皿本体の温度を検出する温度検出装置、及び温度検出装置によって伝導された食器皿本体の内容物又は食器皿本体の温度を表示する温度表示機能を有する表示装置とにより構成することを特徴とする。
本願の第２考案に係る非電熱式食器皿は、前記第１考案において、前記食器皿本体はコップ形状、碗形状、瓶形状、つぼ形状又は盆形状を特徴とする。
本願の第３考案に係る非電熱式食器皿は、前記第１考案において、前記温度検出装置は化学方式の温度検出装置、機械方式の温度検出装置、物理方式の温度検出装置又は電子方式の温度検出装置いずれか一種であることを特徴とする。
本願の第４考案に係る非電熱式食器皿は、前記第１考案において、前記温度検出装置は食器皿内部に取り付けて食器皿内容物の温度を検出するか、又は食器皿本体の外側に取り付けて食器皿本体の温度を検出することを特徴とする。
本願の第５考案に係る非電熱式食器皿は、前記第４考案において、前記温度検出装置は試験紙の色により温度表示が識別可能な化学方式の温度試験紙を用いるか、またはマーク方式により温度を表示する水銀温度計を用いた物理方式の温度検出装置であることを特徴とする。
本願の第６考案に係る非電熱式食器皿は、前記第１考案において、電源装置を追加して含むことを特徴とする。
本願の第７考案に係る非電熱式食器皿は、前記第１考案において、前記表示装置は数字型の表示装置、色表示装置、光表示装置、音声、指数表示装置いずれの一つ、又はこれら装置を組合せたものであることを特徴とする。
本願の第８考案に係る非電熱式食器皿は、前記第７考案において、前記の色調又は光色により温度表示をする手段は、その方式は下記いずれか一種であり、色調の違いによりそれぞれの温度に反映させるか、寒色シリーズで低温を表示すると共に暖色シリーズで高温を表示する等のように単色の階調により温度を反映させるか、光の強さで光色を反映するかのいずれか一種、若しくはこれら複数の組合であることを特徴とする。
本願の第９考案に係る非電熱式食器皿は、前記第７考案において、前記の音声方式により温度表示をする手段は、一つのボタンを押すことによって、音声集積回路温度値が発声されることを特徴とする。
本願の第１０考案に係る非電熱式食器皿は、前記第１考案において、前記食器皿本体は、温度表示装置を取り付けた蓋を具備することを特徴とする。
本願の第１１考案に係る非電熱式食器皿は、前記第１考案において、前記表示装置は警告機能を有し、温度が設定範囲から外れたときに警告信号の強い光又は音声を発信して温度異常を知らせることを特徴とする。
【考案の効果】
【０００７】
利用者は食器皿本体又は食器皿本体内容物の温度を簡単にチェックでき、適切な行動を取るか又は内容物の温度を適宜に調節することが可能である。
【考案を実施するための最良の形態】
【０００８】
本考案の温度表示機能を備えた非電熱式食器皿の構成及び形成される効果と長所を図式に合わせて、本考案の最良の形態の実施例を以下に説明する。なお、本考案と無関係の回路関係は、説明内容から割愛する。また、本実施例の説明図はコップ形状を説明しているが、本考案の食器皿はコップ以外、その他の類似物も本考案の範疇に含まれる。
【実施例１】
【０００９】
図１に示すものは、本考案の温度表示機能を備えた非電熱式食器皿１に以下の部品より構成する。非電熱式食器皿本体１０があり、食器皿本体に内容物２を収納する。温度検出装置１１は、食器皿本体の内容物又は食器皿本体の温度を検出する。表示装置１２は、温度検出装置１１より伝導された食器皿本体１０の内容物２又は食器皿本体１０の温度を検出する。さらに、電源１３を含まれる。
【００１０】
本考案において、前記の食器皿本体はコップ形状、碗形状、瓶形状、つぼ形状又は盆形状いずれの形状より構成される。
【００１１】
本考案において、前記の電源１３は電池、ソーラー電池、又は電線を用いて他の電源に接続できる。
【００１２】
本考案の温度検出装置は化学方式の温度検出装置、機械方式の温度検出装置１１、物理方式の温度検出装置、及び電子方式の温度検出装置のいずれを用いる。前記の温度検出装置は食器皿１０内部に取り付けて、コップ内容物２の温度を検出するか、又は食器皿本体１０の外側に取り付けて、食器皿本体１０の温度を検出する。
【００１３】
図２に示すものは、本考案の化学温度検出装置において、化学方式の温度試験紙３１を用いる。このとき、温度表示は試験紙の色調より識別可能のため、温度検出装置と表示装置は一体化したものである。試験紙に温度検出機能を持つほか、試験紙色調の変更及び温度表示機能を有する。なお、この実施例において、電源１３を使用しない。
【００１４】
図３に示すものは、本考案の物理方式温度検出装置であり、公知の水銀温度計４１を用いることができる。
【００１５】
本考案の表示装置１２は、数字型の表示装置、色表示装置、光表示装置、音声、指数表示装置いずれの一つ又は又はこれら装置を組合せたもの。本考案の実施例において、色調又は光色で温度を表示するとき、色調の違いによりそれぞれの温度に反映させる。単色の階調で温度を反映させるときは、ねずみ色シリーズで表示する。白色は低温を示し、色階調が次第に深めて行くことにより、異なる温度を表示できる。なお、黒色が示されたときは、高温を意味する。なお、異なる色調温度を表示するときは、寒色シリーズ(白色、又は青色)を用いて低温を表示するものとし、暖色シリーズで低温を表示する。一方、(赤色)は高温を示す。
【００１６】
本考案は光色でもって温度表示するときは、光色の違いで温度表示させる。その方式は前記の色調による表示方式を用いる。しかし、本考案において、たとえば、強い光が高温、弱い光が低温など、光の強さで光色を示すことができる。さらに、光の強さと色調違いと両者を併せた方式で温度表示することができる。本考案において、音声方式で温度表示するときは、利用者が図４に示すボタン１５を押すことによって、音声集積回路より温度値を発声させ、利用者に内容物又は食器皿本体の温度を知らせる。この方式は他の方式と併用することもできる。
【００１７】
本考案の実施例１は、図７に示す通り、前記の食器皿本体に蓋があり、温度表示装置はその蓋取り付けて、利用者の温度識別に便利を提供する。
【実施例２】
【００１８】
本考案の実施例２において、前記の表示装置は警告機能を含む。温度が設定範囲を外れたとき、前記の表示装置は警告信号を発信して、利用者に温度異常を知らせる。前記の警告信号は強い光又は音声方式で実現する。
【００１９】
図５に示すものは、本考案の電気動作ブロック図で、温度検出装置１１が温度を検知した後、その検知結果を電気変換回路７０に伝送し、必要な光、音声、色調、又は数字信号に変換した上、この信号を表示装置１２に測量の結果を表示させる。なお、音声による表示のとき、電子回路にスピーカ６０を組み入れて、音声を発信させる。
【００２０】
警告機能を組み入れたとき、前記の電子回路に警告電子回路５１を組み入れて、温度値が警告の対象範囲かを判断し、利用者に警告信号を発信する。
【００２１】
図６に示すものは本考案の一応用例で、電磁コンロ８０上で加熱されているやかん８１には、電子回路でもって簡単な表示インターフェース８２を追加することにより、やかんが加熱されている間に、中の水の温度を随時に表示し、飲用する人に好みの水温を調整できる。
本考案装置の利用者は食器皿本体又は食器皿本体内容物の温度を簡単にチェックできるため、適切な行動を取るか又は内容物の温度を適宜に調節可能である。
【図面の簡単な説明】
【００２２】
【図１】本考案の温度表示機能を備えた非電熱式食器皿である。
【図２】化学温度検出装置に、化学方式の温度試験紙を用いた形態の説明図である。
【図３】物理方式温度検出装置に公知の水銀温度計を用いた形態の説明図である。
【図４】温度表示機能を備えた非電熱式食器皿に、音声ＩＣと音声発信ボタンを組み入れた形態の説明図である。
【図５】電子回路ブロック図である。
【図６】電磁コンロで加熱中のやかんに実施した本考案の一つ応用例の説明図である。
【図７】食器皿本体に蓋が取り付けられている実施例の説明図である。
【符号の説明】
【００２３】
１・・・・・・非電熱式食器皿
１０・・・・・非電熱式食器皿本体
１１・・・・・温度検出装置
１２・・・・・表示装置
１３・・・・・電源
１５・・・・・ボタン
２・・・・・・内容物
３１・・・・・温度試験紙
６０・・・・・スピーカ
８０・・・・・電磁コンロ
８１・・・・・やかん
８２・・・・・表示インターフェース
４１・・・・・水銀温度計
【図１】
0003111479.tif 000003
【図２】
0003111479.tif 000004
【図３】
0003111479.tif 000005
【図４】
0003111479.tif 000006
【図５】
0003111479.tif 000007
【図６】
0003111479.tif 000008
【図７】
0003111479.tif 000009